(57)【要約】【課題】ラジオの周波数メモリが表示されたタッチパネルに対する操作によって選局を行う場合に、受信可能な放送局を簡単に選局できる「選局装置および選局方法」を提供する。【解決手段】周波数メモリが表示されたタッチパネル２０が押下された場合、押下位置に対応する周波数を含む所定の周波数範囲を対象として受信可能な周波数を検索する周波数検索部１３と、検索された周波数を受信周波数として選局する選局部１４とを設け、ユーザが所望する周波数位置をタッチしようとしたにもかかわらず、実際には前後にずれた周波数位置をタッチしてしまった場合であっても、そのタッチ位置に対応する周波数を含む所定の周波数範囲内で周波数検索部１３により自動的に周波数の検索が行われ、受信可能な放送局の周波数が選局部１４により正しく選局されるようにする。【選択図】図１
2013070150.tif 000002
【特許請求の範囲】
【請求項１】
ユーザインタフェースとして周波数メモリが表示されたタッチパネルに対する押下操作が行われたときに、上記タッチパネルの押下位置を検出する押下位置検出部と、
上記押下位置検出部により検出された押下位置に対応する周波数を含む所定の周波数範囲を対象として、受信可能な周波数を検索する周波数検索部と、
上記周波数検索部により検索された周波数を受信周波数として選局する選局部とを備えたことを特徴とする選局装置。
【請求項２】
上記周波数検索部は、上記押下位置検出部により検出された押下位置に対応する周波数を基準とし、当該基準の周波数より所定値低い周波数から当該基準の周波数より所定値高い周波数までを上記所定の周波数範囲として、受信可能な周波数を検索することを特徴とする請求項１に記載の選局装置。
【請求項３】
上記押下位置検出部は、上記タッチパネルに対して指先などの指示物により押下操作が行われたときに、当該指示物の幅内に含まれる一部を上記押下位置として検出するとともに、当該指示物の幅の範囲を接触位置として検出するようになされ、
上記周波数検索部は、上記押下位置検出部により検出された接触位置の範囲を上記所定の周波数範囲として、受信可能な周波数を検索することを特徴とする請求項１に記載の選局装置。
【請求項４】
上記選局部は、上記周波数検索部により上記受信可能な周波数が複数検索された場合に、当該複数の周波数のうち、上記押下位置検出部により検出された押下位置に対応する周波数に最も近い周波数を受信周波数として選局することを特徴とする請求項１〜３の何れか１項に記載の選局装置。
【請求項５】
ユーザインタフェースとして周波数メモリが表示されたタッチパネルに対する押下操作が行われたときに、選局装置の押下位置検出部が、上記タッチパネルの押下位置を検出する第１のステップと、
上記選局装置の周波数検索部が、上記第１のステップで検出された押下位置に対応する周波数を含む所定の周波数範囲を対象として、受信可能な周波数を検索する第２のステップと、
上記選局装置の選局部が、上記周波数検索部により検索された周波数を受信周波数として選局する第３のステップとを有することを特徴とする選局方法。
【発明の詳細な説明】
【技術分野】
【０００１】
本発明は、選局装置および選局方法に関し、特に、周波数メモリが表示されたタッチパネルに対する操作によって選局を行う技術に関するものである。
【背景技術】
【０００２】
従来、ラジオの受信周波数を選択（いわゆる選局）するための手段として、マニュアルチューニングおよびオートチューニングの２つが用意されている。マニュアルチューニングは、ユーザが物理的な操作子を操作しながら受信周波数を所定量ずつずらしていき、所望の放送局の周波数に受信周波数を合わせる手法である。受信可能な放送局の周波数が分かっているときに使うと便利な機能である。
【０００３】
一方、オートチューニングとしては、チャンネルシークやチャンネルスキャンなどの手法が提供されている。チャンネルシークは、シークボタンの押下に応じて、現在地点において受信可能な放送局をサーチして受信する機能である。シークボタンを押下するたびに１つの放送局がサーチされるので、シークボタンを何回か押下すれば、希望の放送局を見つけることができる。放送局の周波数が分からないときに使うと便利な機能である。
【０００４】
チャンネルスキャンは、スキャンボタンの押下に応じて、現在地点において受信可能な複数の放送局をサーチし、見つかった複数の放送局の情報をプリセットメモリに格納する機能である。プリセットメモリに格納された複数の放送局の情報は、複数のプリセットボタンに割り当てられる。これにより、チャンネルスキャンの実行後は、所望のプリセットボタンを押下するだけで、受信する放送局を簡単に切り替えることができる。
【０００５】
なお、全周波数帯域を複数の周波数範囲（バンド）に分割し、分割された周波数範囲内でのみオートチューニング動作を行うようにした技術も存在する（例えば、特許文献１，２参照）。特許文献１に記載の技術では、バンド選択スイッチにより選択されたバンド内のみでオートチューニング動作を行うようになされている。また、特許文献２に記載の技術では、メモリ呼出ボタンとスキャンボタンとが同時に押されたときに、押されたメモリ呼出ボタンに対応する周波数範囲のみでオートチューニング動作を行うようになされている。
【０００６】
ところで、近年では、情報の入力デバイスとして、タッチパネルを採用する電子機器が増えている。上述のラジオに設けられるＨＭＩ（Human Machine Interface）に関しても、選局を行うための入力デバイスとしてタッチパネルを採用したものが殆どである。
【０００７】
タッチパネルは、操作が直感的に分かりやすくて簡単、入力装置と表示装置との一体化により装置全体の小型化が可能、従来の物理的な操作子がなくてもソフトウェア次第で多彩な操作性を実現可能といった多くの利点を有している。このように多くの利点を有することが、電子機器においてタッチパネルが採用される大きな要因となっている。
【０００８】
ただし、タッチパネルにも欠点はある。例えば、タッチパネル上に表示されるＧＵＩ（Graphical User Interface）としてのソフトキーが小さい場合や、複数のソフトキーが互いに狭い間隔で並んでいる場合、あるいは、スライドバーのように任意の位置を指定できるようになされたソフトキーの場合などに、ユーザが意図する位置を指先で正しくタッチできないことがある。
【０００９】
例えば、図５のように、全周波数帯域の周波数を周波数メモリ１００としてタッチパネルに表示し、当該周波数メモリ１００上のタッチされた位置に対応する周波数を受信周波数として選局するようにしたソフトキーが提供されている。このようなソフトキーの場合、指先の太さに比べて周波数のメモリ間隔がかなり狭いので、ユーザが希望する周波数をピンポイントで選択することが困難という問題があった。
【００１０】
例えば、図５（ａ）のように、受信可能な放送局の周波数として１００．０ＭＨｚの位置をタッチしたつもりでも、実際には、図５（ｂ）のように９９．８ＭＨｚといった前後にずれた周波数を選局してしまうということが多々生じる。この場合、もう一度タッチをやり直す必要があるが、やり直しの際も正しい周波数位置をタッチできるとは限らない。出願人が試行したところ、正しく１００．０ＭＨｚの周波数位置をタッチできたのは、１０回のうち２回のみであった。
【先行技術文献】
【特許文献】
【００１１】
【特許文献１】実公平２−１５４０５号公報
【特許文献２】特開２００１−５３５９０号公報
【発明の概要】
【発明が解決しようとする課題】
【００１２】
本発明は、このような問題を解決するために成されたものであり、ラジオの周波数メモリが表示されたタッチパネルに対する操作によって選局を行う場合に、受信可能な放送局を簡単に選局できるようにすることを目的とする。
【課題を解決するための手段】
【００１３】
上記した課題を解決するために、本発明では、ユーザインタフェースとして周波数メモリが表示されたタッチパネルが押下された場合、その押下位置に対応する周波数を含む所定の周波数範囲を対象として、受信可能な周波数を検索し、検索された周波数を受信周波数として選局するようにしている。
【発明の効果】
【００１４】
上記のように構成した本発明によれば、周波数メモリが表示されたタッチパネルに対して、受信可能な放送局の周波数としてユーザが所望する周波数の位置をタッチしようとしたにもかかわらず、実際には前後にずれた周波数位置をタッチしてしまった場合であっても、そのタッチ位置に対応する周波数を含む所定の周波数範囲内で自動的に周波数の検索が行われ、受信可能な放送局の周波数が正しく選局される。これにより、周波数メモリが表示されたタッチパネルに対する操作によって選局を行う場合に、何回もタッチ操作をやり直す必要がなく、受信可能な放送局を簡単に選局することができる。
【図面の簡単な説明】
【００１５】
【図１】本実施形態による選局装置の機能構成例を示すブロック図である。
【図２】本実施形態によるタッチパネルの表示例を示す図である。
【図３】本実施形態による選局装置の動作例を示すフローチャートである。
【図４】本実施形態による周波数検索部が検索を行う周波数範囲の特定に関する変形例を示す図である。
【図５】従来のタッチパネルの表示例を示す図である。
【発明を実施するための形態】
【００１６】
以下、本発明の一実施形態を図面に基づいて説明する。図１は、本実施形態による選局装置の機能構成例を示すブロック図である。図２は、本実施形態によるタッチパネルの表示例を示す図である。
【００１７】
図１に示すように、本実施形態の選局装置１０は、その機能構成として、押下位置検出部１１、ソフトキー情報記憶部１２、周波数検索部１３、選局部１４および表示制御部１５を備えている。また、本実施形態の選局装置１０には、タッチパネル２０が接続されている。
【００１８】
タッチパネル２０には、図２のように、ＧＵＩとして周波数メモリ１００が表示されている。周波数メモリ１００のタッチパネル２０への表示は、ソフトキー情報記憶部１２に記憶されている情報に基づいて、表示制御部１５によって行われる。この周波数メモリ１００は、ラジオの全周波数帯域の周波数をメモリ状に表したものであり、当該周波数メモリ１００上のタッチされた位置に対応する周波数を受信周波数として指定できるようになされたソフトキーである。
【００１９】
周波数メモリ１００の分解能がＮドットの場合（Ｎは１以上の整数）、Ｎドット毎に異なる周波数が割り当てられている。図２に示す周波数メモリ１００は、ＦＭラジオの全周波数帯域（８７．５〜１０８ＭＨｚ）をメモリ状に表示したものであり、周波数メモリ１００上のタッチされた位置に応じて、０．１ＭＨｚ刻みで所望の周波数を指定できるようになされている。
【００２０】
選局装置１０の押下位置検出部１１は、タッチパネル２０に対する押下操作が行われたときに、当該タッチパネル２０の押下位置を検出する。ここで言う押下位置とは、指先などの指示物により押下操作が行われたときに、当該指先の幅内に含まれる一部の位置をいう。例えば、押下位置検出部１１は、指先が触れている領域のうち、中心の数ドット幅（Ｎドット幅またはそれ以下であることが望ましい）ほどの領域を押下位置として検出する。
【００２１】
ソフトキー情報記憶部１２は、タッチパネル２０上に表示される各種ソフトキー（周波数メモリ１００を含む）に関する情報を記憶したものである。ソフトキーに関する情報とは、ソフトキーの画像、ソフトキーの位置、ソフトキーがタッチされたときに実行すべき動作あるいは特定すべき情報などを示す情報である。例えば周波数メモリ１００の場合、周波数メモリ１００の画像、表示位置、周波数メモリ１００上のどの位置がタッチされたときにどの周波数が特定されるのかの関係を示した情報などがソフトキー情報記憶部１２に記憶されている。
【００２２】
周波数検索部１３は、ソフトキー情報記憶部１２を参照して、押下位置検出部１１により検出された押下位置に対応する周波数を特定する。そして、特定した周波数を含む所定の周波数範囲を対象として、受信可能な周波数を検索する。例えば、周波数検索部１３は、押下位置検出部１１により検出された押下位置に対応する周波数を基準とし、当該基準の周波数より所定値低い周波数から当該基準の周波数より所定値高い周波数までを所定の周波数範囲として、受信可能な周波数を検索する。例えば、基準の周波数±０．５ＭＨｚの範囲内でサーチを行う。
【００２３】
選局部１４は、周波数検索部１３により検索された周波数を受信周波数として選局する。ここで、選局部１４は、周波数検索部１３により受信可能な周波数が複数検索された場合には、当該複数の周波数のうち、押下位置検出部１１により検出された押下位置に対応する周波数に最も近い周波数を受信周波数として選局する。
【００２４】
例えば、図２（ａ）のように、ユーザが、受信可能な放送局の周波数として１００．０ＭＨｚの位置をタッチしようとしたが、実際には、９９．８ＭＨｚの位置をタッチしてしまったとする。この場合、周波数検索部１３は、押下位置検出部１１により検出される押下位置に対応する周波数（９９．８ＭＨｚ）を基準とし、当該基準の周波数±０．５ＭＨｚの範囲（９９．３ＭＨｚ〜１００．３ＭＨｚ）でサーチを行う。
【００２５】
周波数検索部１３がサーチした周波数の範囲内には、受信可能な放送局の周波数として１００．０ＭＨｚが含まれている。したがって、選局部１４は、周波数検索部１３により検索された１００．０ＭＨｚの周波数を受信周波数として選局する。また、選局部１４は、選局した周波数（１００．０ＭＨｚ）を表示制御部１５に通知する。この通知を受けて表示制御部１５は、図２（ｂ）に示すように、選局した周波数をタッチパネル２０に表示させる。
【００２６】
なお、選局装置１０の構成において、周波数検索部１３および選局部１４はチューナにより構成される。また、押下位置検出部１１および表示制御部１５は、ＣＰＵあるいはＭＰＵ、ＲＡＭ、ＲＯＭなどを備えたマイコンにより構成され、ＲＡＭやＲＯＭに記憶されたプログラムが動作することによってその機能が実現される。
【００２７】
図３は、上記のように構成した本実施形態による選局装置１０の動作例を示すフローチャートである。図３に示すフローチャートは、例えば、選局装置１０を備えたオーディオ装置の電源がオンとされたときに開始する。
【００２８】
図３において、押下位置検出部１１は、タッチパネル２０が押下されたか否かを判定する（ステップＳ１）。ここで、タッチパネル２０の押下が検出されない場合、処理はステップＳ１を繰り返す。一方、タッチパネル２０の押下が検出された場合、押下位置検出部１１は、その押下位置を検出する（ステップＳ２）。
【００２９】
タッチパネル２０の押下位置が押下位置検出部１１により検出されると、周波数検索部１３は、その押下位置に対応する周波数を含む所定の周波数範囲を対象として、受信可能な周波数を検索する（ステップＳ３）。具体的には、押下位置に対応する周波数を基準として、基準の周波数±０．５ＭＨｚの範囲内で受信可能な周波数のサーチを行う。
【００３０】
選局部１４は、周波数検索部１３のサーチにより、受信可能な周波数が見つかったか否かを判定する（ステップＳ４）。ここで、受信可能な周波数が見つかっていない場合、処理はステップＳ１に戻る。一方、受信可能な周波数が見つかった場合、選局部１４は、その見つけられた周波数を受信周波数として選局する（ステップＳ５）。その後、表示制御部１５が、選局された周波数をタッチパネル２０に表示し（ステップＳ６）、図３に示すフローチャートの処理を終了する。
【００３１】
以上詳しく説明したように、本実施形態では、周波数メモリ１００が表示されたタッチパネル２０が押下された場合、その押下位置に対応する周波数を含む所定の周波数範囲を対象として、受信可能な周波数を検索し、検索された周波数を受信周波数として選局するようにしている。
【００３２】
このように構成した本実施形態によれば、周波数メモリ１００が表示されたタッチパネル２０に対して、受信可能な放送局の周波数としてユーザが所望する周波数位置をタッチしようとしたにもかかわらず、実際には前後にずれた周波数位置をタッチしてしまった場合であっても、そのタッチ位置に対応する周波数を含む所定の周波数範囲内で自動的に周波数の検索が行われ、受信可能な放送局の周波数が正しく選局される。これにより、周波数メモリ１００が表示されたタッチパネル２０に対する操作によって選局を行う場合に、何回もタッチ操作をやり直す必要がなく、受信可能な放送局を簡単に選局することができる。
【００３３】
なお、上記実施形態では、周波数検索部１３は、タッチパネル２０の押下位置に対応する周波数を基準として、基準の周波数±０．５ＭＨｚの範囲内で受信可能な周波数のサーチを行うようにしたが、本発明はこれに限定されない。例えば、タッチパネル２０を押下した指先の幅の範囲を所定の周波数範囲として、受信可能な周波数を検索するようにしてもよい。
【００３４】
図４は、周波数検索部１３が検索を行う周波数範囲の特定に関する変形例を示す図である。この変形例において、押下位置検出部１１は、タッチパネル２０に対して指先により押下操作が行われたときに、当該指先の幅内に含まれる一部を押下位置として検出するとともに、当該指先の幅の範囲を接触位置として検出する。すなわち、押下位置検出部１１は、図４において両矢印Ｗで示す範囲を接触位置として検出する。
【００３５】
周波数検索部１３は、押下位置検出部１１により検出された接触位置の範囲を所定の周波数範囲として、受信可能な周波数を検索する。例えば、図２（ａ）と同様に、ユーザが、受信可能な放送局の周波数として１００．０ＭＨｚの位置をタッチしようとしたが、実際には、９９．８ＭＨｚの位置が押下位置検出部１１により押下位置として検出されてしまったとする。一方、図４において両矢印Ｗで示す範囲として、９９．１ＭＨｚ〜１００．５ＭＨｚの範囲が押下位置検出部１１により接触位置として検出されたとする。この場合、周波数検索部１３は、９９．１ＭＨｚ〜１００．５ＭＨｚの範囲内で受信可能な周波数の検索を行う。
【００３６】
また、上記実施形態では、周波数メモリ１００としてＦＭラジオの例を挙げて説明したが、本発明はこれに限定されない。例えば、ＡＭラジオでもよいことは言うまでもない。
【００３７】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００３８】
１０  選局装置
１１  押下位置検出部
１３  周波数検索部
１４  選局部
２０  タッチパネル
１００  周波数メモリ
【図１】
2013070150.tif 000003
【図２】
2013070150.tif 000004
【図３】
2013070150.tif 000005
【図４】
2013070150.tif 000006
【図５】
2013070150.tif 000007